【手続補正書】
【提出日】平成21年6月30日(2009.6.30)
【手続補正１】
【補正対象書類名】特許請求の範囲
【補正対象項目名】全文
【補正方法】変更
【補正の内容】
【特許請求の範囲】
【請求項１】
測定装置を電極に接続する装置において、
ａ）ハウジングを電極に接続するコネクタを有する上記ハウジングと、
ｂ）上記ハウジングに実装された回路とを含み、
上記回路は上記コネクタを用いて上記電極に電気的に接続されるとともにリード線に接続され、
上記回路は、
ｉ）上記測定装置から受信された複数の制御信号に従って所定の複数の電気信号を発生することと、
ｉｉ）上記電極に印加される複数の電気信号の１つの指示を供給することと、
ｉｉｉ）上記電極において測定される複数の電気信号の１つの指示を供給することとのうちの少なくとも１つを行う回路である装置。
【請求項２】
上記回路は電気接点を有する回路基板上に提供され、
上記コネクタは、使用時に上記電極の少なくとも一部分を上記電気接点に当接させる請求項１記載の装置。
【請求項３】
上記コネクタは付勢されたアームを含む請求項２記載の装置。
【請求項４】
上記回路は、
ａ）上記電極における複数の電圧信号を検知し、
ｂ）上記複数の電圧信号をろ波及び増幅し、
ｃ）上記ろ波され増幅された複数の電圧信号を上記測定装置に送信するバッファ回路を含む請求項１乃至３のうちのいずれか１つに記載の装置。
【請求項５】
上記回路は、
ａ）１つ以上の制御信号を受信し、
ｂ）上記制御信号をろ波及び増幅することにより１つ以上の電流信号を発生し、
ｃ）上記電流信号を上記電極のパッドに印加し、
ｄ）上記印加された信号の指示を上記測定装置に送信する電流源回路を含む請求項１乃至３のうちのいずれか１つに記載の装置。
【請求項６】
上記装置はさらに電極を備え、上記電極は、
ａ）電極基板と、
ｂ）上記電極を上記被験者に電気的に接続する導電材料とを含む請求項１乃至５のうちのいずれか１つに記載の装置。
【請求項７】
上記電極基板は導電性であり、使用時に上記コネクタが上記回路を上記電極基板に接続する請求項６記載の装置。
【請求項８】
上記ハウジングは曲線状の縁を含む請求項１乃至７のうちのいずれか１つに記載の装置。
【請求項９】
上記ハウジングは、
ａ）小さい摩擦係数を有する材料と、
ｂ）弾性材料とのうちの少なくとも一方の材料から形成される請求項１乃至７のうちのいずれか１つに記載の装置。
【請求項１０】
被験者に対してインピーダンス測定を行う装置において、
ａ）上記被験者に接続された複数の電極に対する接続のための少なくとも１本のリード線であって、符号化された値を有する少なくとも１本のリード線と、
ｂ）上記少なくとも１本のリード線に接続され、
ｉ）上記符号化された値を決定し、
ｉｉ）上記符号化された値を用いて少なくとも１つのインピーダンス測定を実行させる処理システムとを含む装置。
【請求項１１】
被験者に対してインピーダンス測定を行うシステムにおいて、
少なくとも１つの電極と、
ａ）上記少なくとも１つの電極に関係する電極識別子を決定し、
ｂ）上記電極識別子を用いて、被験者上における上記少なくとも１つの電極の位置を示す電極位置を決定し、
ｃ）上記電極位置を用いて少なくとも１つのインピーダンス測定を実行させるように構成されたプロセッサとを含むシステム。
【請求項１２】
上記プロセッサは、それぞれの識別子をそれぞれ有する少なくとも４つの電極を用いて上記インピーダンス測定を行うように構成され、
上記プロセッサはさらに、
ａ）各電極に関する電極識別子を決定し、
ｂ）各電極識別子を用いて、各電極の電極位置を決定し、
ｃ）上記電極位置を用いて少なくとも１つのインピーダンス測定を実行するように構成された請求項１１記載のシステム。
【請求項１３】
上記システムは、
ａ）上記決定された電極位置に従って、上記電極のうちの少なくとも２つに複数の信号を印加させ、
ｂ）上記決定された電極位置に従って、上記電極のうちの少なくとも２つからの複数の信号を測定させるように構成された請求項１２記載のシステム。
【請求項１４】
上記プロセッサは、上記電極に設けられた１つ以上の接点間の導電率を選択的に測定することにより、電極に関する上記電極識別子を決定するように構成された請求項１１乃至１３のうちのいずれか１つに記載のシステム。
【請求項１５】
上記システムは、信号発生器及びセンサをさらに備え、
ａ）上記信号発生器は、上記被験者に対して複数の信号が印加されるように、少なくとも２本の電極のリード線に選択的に相互接続され、
ｂ）上記センサは、上記被験者からの信号が測定されるように、少なくとも２本の電極のリード線に選択的に相互接続される請求項１１乃至１４のうちのいずれか１つに記載のシステム。
【請求項１６】
上記プロセッサは多重化装置を制御することにより、上記リード線と、上記信号発生器及び上記センサのうちの少なくとも一方とを選択的に相互接続する請求項１５記載のシステム。
【請求項１７】
上記少なくとも１つの電極は、上記被験者上における上記少なくとも１つの電極の位置を示す視覚的なしるしを含む請求項１１乃至１６のうちのいずれか１つに記載のシステム。
【請求項１８】
被験者に対してインピーダンス測定を行う装置において、
ａ）上記被験者上に提供された少なくとも１つの電極に関係する電極識別子を決定し、
ｂ）上記電極識別子を用いて、上記被験者上における上記少なくとも１つの電極の位置を示す電極位置を決定し、
ｃ）上記電極位置を用いて少なくとも１つのインピーダンス測定を実行させる処理システムを含む装置。
【請求項１９】
請求項１１乃至１７のうちのいずれか１つに記載のシステムを含む装置である請求項１８記載の装置。
【請求項２０】
ａ）基板上に、
ｉ）複数の導電性接点パッドと、
ｉｉ）上記基板の縁から各接点パッドまでそれぞれ延在する、対応する数の導電性トラックとを設けることと、
ｂ）複数の孔を含み、各パッド接点の少なくとも一部分をそれぞれの孔と位置合せさせて上記トラックを覆うように位置決めされる絶縁層を上記基板に形成することと、
ｃ）上記孔内に導電性媒体を設けることとを含む、インピーダンス測定手順に用いる電極を形成する方法。
【請求項２１】
上記導電性媒体は導電性ゲルから形成される請求項２０記載の方法。
【請求項２２】
上記導電性ゲルは銀／塩化銀ゲルである請求項２１記載の方法。
【請求項２３】
上記絶縁層上に被覆層を設けることにより上記導電性媒体を被覆することを含む請求項２０乃至２２のうちのいずれか１つに記載の方法。
【請求項２４】
上記絶縁層は、解放可能に上記被覆層を接着する接着面を有する請求項２３記載の方法。
【請求項２５】
上記基板は細長い基板であり、
上記基板の長手方向に沿って上記パッド接点を並べることを含む請求項２０乃至２４のうちのいずれか１つに記載の方法。
【請求項２６】
ａ）スクリーン印刷と、
ｂ）インクジェット印刷と、
ｃ）蒸着とのうちの少なくとも１つを用いて上記トラック及び接点パッドを設けることを含む請求項２０乃至２５のうちのいずれか１つに記載の方法。
【請求項２７】
上記トラック及び接点パッドは銀から形成される請求項２０乃至２６のうちのいずれか１つに記載の方法。
【請求項２８】
ａ）ポリマープラスチックを遮蔽材料で被覆することと、
ｂ）上記遮蔽材料を絶縁材料で被覆することとにより上記基板を形成することを含む請求項２０乃至２７のうちのいずれか１つに記載の方法。
【請求項２９】
インピーダンス測定手順に用いる電極において、
上記電極は、
ａ）基板を含み、
上記基板上に、
ｉ）複数の導電性接点パッドと、
ｉｉ）上記基板の縁から各接点パッドまでそれぞれ延在する、対応する数の導電性トラックとが設けられており、
上記電極は、
ｂ）複数の孔を含み、各パッド接点の少なくとも一部分をそれぞれの孔と位置合せさせて上記トラックを覆うように位置決めされる、上記基板上に設けられる絶縁層と、
ｃ）上記孔内に設けられた導電性媒体とを含むインピーダンス測定手順に用いる電極。
【請求項３０】
請求項２０乃至２８のうちのいずれか１つに記載の方法を用いて形成される請求項２９の電極。
【請求項３１】
ａ）少なくとも１つの機能を示す構成データを受信し、
ｂ）上記構成データを用いて、上記少なくとも１つの機能を表す複数の命令を決定し、
ｃ）上記複数の命令を用いて、
ｉ）複数のインピーダンス測定と、
ｉｉ）複数のインピーダンス測定の解析とのうちの少なくとも１つを測定装置に実行させるように構成されたプロセッサを備えた処理システム。
【請求項３２】
被験者のインピーダンス解析に用いられるシステムにおいて、
ａ）少なくとも１つの機能を示す構成データを受信し、
ｂ）上記構成データを用いて、上記少なくとも１つの機能を表す複数の命令を決定し、
ｃ）少なくとも部分的に上記複数の命令を用いて、
ｉ）複数のインピーダンス測定の実行と、
ｉｉ）複数のインピーダンス測定の解析とのうちの少なくとも１つを実施させるように構成されたプロセッサを備えたシステム。
【請求項３３】
上記構成データは上記複数の命令を含む請求項３２記載のシステム。
【請求項３４】
上記プロセッサはさらに、
ａ）上記構成データを用いて上記少なくとも１つの機能の指示を決定し、
ｂ）上記少なくとも１つの機能の上記指示を用いて上記複数の命令を決定するように構成された請求項３２又は３３記載のシステム。
【請求項３５】
上記受信された構成データを復号するように構成された請求項３２乃至３４のうちのいずれか１つに記載のシステム。
【請求項３６】
上記システムはさらに、
ａ）上記処理システムに関係する装置識別子を決定し、
ｂ）上記装置識別子を用いて鍵を決定し、
ｃ）上記受信された構成データを上記鍵を用いて復号するように構成された請求項３５記載のシステム。
【請求項３７】
上記処理システムは第１及び第２の処理システムを含み、
上記第１及び第２の処理システムは、
ａ）上記第１の処理システムが、上記構成データを用いて上記複数の命令を選択し、
ｂ）上記第２の処理システムが、選択された複数の命令を用いて複数の制御信号を発生するように構成された請求項３２乃至３６のうちのいずれか１つに記載のシステム。
【請求項３８】
上記第１の処理システムはさらに、
ａ）上記複数の命令を上記第２の処理システムに送信し、
ｂ）上記第２の処理システムに、記憶装置から上記命令にアクセスさせるように構成された請求項３７記載のシステム。
【請求項３９】
上記処理システムは、コンピュータシステム及び通信ネットワークのうちの少なくとも一方から上記構成データを受信するように構成された請求項３８記載のシステム。
【請求項４０】
上記処理システムは、
ａ）ユーザによって選択された機能が利用可能か否かを決定するように構成され、
ｂ）上記処理システムは、上記機能が利用不可能である場合、上記ユーザが上記機能を利用可能とすることを望むか否かを決定するように構成され、
ｃ）上記処理システムは、上記ユーザが上記機能を利用可能とすることを望む場合、構成データを受信させるように構成された請求項３２乃至３９のうちのいずれか１つに記載のシステム。
【請求項４１】
上記処理システムは、
ａ）上記ユーザに、装置提供者に対する支払いを行なわせ、
ｂ）支払いに応答して上記構成データを受信するように構成された請求項４０記載のシステム。
【手続補正２】
【補正対象書類名】明細書
【補正対象項目名】００５８
【補正方法】変更
【補正の内容】
【００５８】
第６の広範な形態において、本発明は被験者上でインピーダンス測定を行う装置を提供し、この装置は、
ａ）上記被験者に接続された複数の電極に対する接続のための、符号化された値を有する少なくとも１本のリード線と、
ｂ）上記少なくとも１本のリード線に接続された処理システムであって、
ｉ）上記符号化された値を決定し、
ｉｉ）上記符号化された値を用いて少なくとも１つのインピーダンス測定を実行させる処理システムとを含む。
【手続補正３】
【補正対象書類名】明細書
【補正対象項目名】００５９
【補正方法】変更
【補正の内容】
【００５９】
第７の広範な形態において、本発明は被験者上でインピーダンス測定を行う方法を提供し、この方法は処理システムにおいて、
ａ）上記被験者上に提供された少なくとも１つの電極に関係する電極識別子を決定することと、
ｂ）上記電極識別子を用いて、上記被験者上における上記少なくとも１つの電極の位置を示す電極位置を決定することと、
ｃ）上記電極位置を用いて少なくとも１つのインピーダンス測定を実行させることとを含む。
【手続補正４】
【補正対象書類名】明細書
【補正対象項目名】００６６
【補正方法】変更
【補正の内容】
【００６６】
第８の広範な形態において、本発明は被験者上でインピーダンス測定を行う装置を提供し、この装置は、
ａ）上記被験者上に提供された少なくとも１つの電極に関係する電極識別子を決定することと、
ｂ）上記電極識別子を用いて、上記被験者上における上記少なくとも１つの電極の位置を示す電極位置を決定することと、
ｃ）上記電極位置を用いて少なくとも１つのインピーダンス測定を実行させることとを含む処理システムを含む。
【手続補正５】
【補正対象書類名】明細書
【補正対象項目名】００６７
【補正方法】変更
【補正の内容】
【００６７】
第９の広範な形態において、本発明は被験者上でインピーダンス測定を行う方法を提供し、この方法は処理システムにおいて、
ａ）第１の信号を上記被験者に印加させることと、
ｂ）上記被験者において測定された少なくとも１つの第２の信号に関する少なくとも１つのパラメータを決定することと、
ｃ）上記少なくとも１つのパラメータを少なくとも１つのしきい値と比較することと、
ｄ）上記比較の結果に応じて、増加された大きさを有する第１の信号を用いてステップ（ａ）から（ｄ）までを選択的に繰り返すこととを含む。
【手続補正６】
【補正対象書類名】明細書
【補正対象項目名】００７２
【補正方法】変更
【補正の内容】
【００７２】
第１０の広範な形態において、本発明は被験者上でインピーダンス測定を行う装置を提供し、この装置は、
ａ）第１の信号を上記被験者に印加させ、
ｂ）上記被験者において測定された少なくとも１つの第２の信号に関する少なくとも１つのパラメータを決定し、
ｃ）上記少なくとも１つのパラメータを少なくとも１つのしきい値と比較し、
ｄ）上記比較の結果に応じて、増加された大きさを有する第１の信号を用いてステップ（ａ）から（ｄ）までを選択的に繰り返す処理システムを含む。
【手続補正７】
【補正対象書類名】明細書
【補正対象項目名】００７４
【補正方法】変更
【補正の内容】
【００７４】
第１１の広範な形態において、本発明はインピーダンス測定手順用の電極を提供する方法を提供し、この方法は、
ａ）基板上に、
ｉ）多数の導電性接点パッドと、
ｉｉ）上記基板の縁から各接点パッドまでそれぞれ延びる、対応する数の導電性トラックとを提供することと、
ｂ）多数の孔を含み、各パッド接点の少なくとも一部分をそれぞれの孔と位置合せさせて上記トラックを覆うように位置決めされる絶縁層を、上記基板に対して付加することと、
ｃ）上記孔内に導電性媒体を提供することとを含む。
【手続補正８】
【補正対象書類名】明細書
【補正対象項目名】００８３
【補正方法】変更
【補正の内容】
【００８３】
第１２の広範な形態において、本発明はインピーダンス測定手順用の電極を提供し、この電極は、
ａ）基板を含むインピーダンス測定手順用の電極であって、当該基板上に
ｉ）多数の導電性接点パッドと、
ｉｉ）上記基板の縁から各接点パッドまでそれぞれ延びる、対応する数の導電性トラックとが提供されており、上記インピーダンス測定手順用の電極は、
ｂ）多数の孔を含み、各パッド接点の少なくとも一部分をそれぞれの孔と位置合せさせて上記トラックを覆うように位置決めされる、上記基板上に提供される絶縁層と、
ｃ）上記孔内に提供された導電性媒体とを含む。
【手続補正９】
【補正対象書類名】明細書
【補正対象項目名】００８４
【補正方法】変更
【補正の内容】
【００８４】
第１３の広範な形態において、本発明は被験者における状態の診断に用いられる方法を提供し、この方法は処理システムにおいて、
ａ）少なくとも１つの電極のリード線に関係する符号化された値を決定することと、
ｂ）上記符号化された値を用いて少なくとも１つのインピーダンス測定を実行させることとを含む。
【手続補正１０】
【補正対象書類名】明細書
【補正対象項目名】００８５
【補正方法】変更
【補正の内容】
【００８５】
第１４の広範な形態において、本発明は被験者における状態の診断に用いられる方法を提供し、この方法は処理システムにおいて、
ａ）上記被験者に提供された少なくとも１つの電極に関係する電極識別子を決定することと、
ｂ）上記電極識別子を用いて、上記被験者上の上記少なくとも１つの電極の位置を示す電極位置を決定することと、
ｃ）上記電極位置を用いて少なくとも１つのインピーダンス測定を実行させることとを含む。
【手続補正１１】
【補正対象書類名】明細書
【補正対象項目名】００８６
【補正方法】変更
【補正の内容】
【００８６】
第１５の広範な形態において、本発明は被験者における状態の診断に用いられる方法を提供し、この方法は処理システムにおいて、
ａ）少なくとも１つの機能を示す構成データを受信することと、
ｂ）上記構成データを用いて、上記少なくとも１つの機能を表す複数の命令を決定することと、
ｃ）上記複数の命令を用いて、
ｉ）複数のインピーダンス測定と、
ｉｉ）複数のインピーダンス測定の解析とのうちの少なくとも１つを測定装置に実行させることとを含む。
【手続補正１２】
【補正対象書類名】明細書
【補正対象項目名】００８７
【補正方法】変更
【補正の内容】
【００８７】
第１６の広範な形態において、本発明は被験者における状態の診断に用いられる方法を提供し、この方法は処理システムにおいて、
ａ）測定装置のために必要であり、少なくとも１つの機能を示す構成データを決定することと、
ｂ）上記構成データに応答して上記少なくとも１つの機能を利用可能とするように上記測定装置を構成する上記測定装置内の処理システムに上記構成データを受信させることとを含む。
【手続補正１３】
【補正対象書類名】明細書
【補正対象項目名】００８８
【補正方法】変更
【補正の内容】
【００８８】
第１７の広範な形態において、本発明は被験者における状態の診断に用いられる方法を提供し、この方法は処理システムにおいて、
ａ）第１の信号を上記被験者に印加させることと、
ｂ）上記被験者において測定された少なくとも１つの第２の信号に関する少なくとも１つのパラメータを決定することと、
ｃ）上記少なくとも１つのパラメータを少なくとも１つのしきい値と比較することと、
ｄ）上記比較の結果に応じて、増加された大きさを有する第１の信号を用いてステップ（ａ）から（ｄ）までを選択的に繰り返すこととを含む。
【手続補正１４】
【補正対象書類名】明細書
【補正対象項目名】００８９
【補正方法】変更
【補正の内容】
【００８９】
第１８の広範な形態において、本発明は被験者のインピーダンス解析に用いられる処理システムを構成する方法を提供し、この方法は処理システムにおいて、
ａ）少なくとも１つの機能を示す構成データを受信することと、
ｂ）上記構成データを用いて、上記少なくとも１つの機能を表す複数の命令を決定することと、
ｃ）少なくとも部分的に上記複数の命令を用いて、
ｉ）複数のインピーダンス測定の実行と、
ｉｉ）複数のインピーダンス測定の解析とのうちの少なくとも１つを実施させることとを含む。
【手続補正１５】
【補正対象書類名】明細書
【補正対象項目名】００９９
【補正方法】変更
【補正の内容】
【００９９】
第１９の広範な形態において、本発明は被験者のインピーダンス解析に用いられる処理システムを構成する装置を提供し、この装置は、
ａ）少なくとも１つの機能を示す構成データを受信し、
ｂ）上記構成データを用いて、上記少なくとも１つの機能を表す複数の命令を決定すし、
ｃ）少なくとも部分的に上記複数の命令を用いて、
ｉ）複数のインピーダンス測定の実行と、
ｉｉ）複数のインピーダンス測定の解析とのうちの少なくとも１つを実施させるための処理システムを含む。
【手続補正１６】
【補正対象書類名】明細書
【補正対象項目名】０１０１
【補正方法】変更
【補正の内容】
【０１０１】
第２０の広範な形態において、本発明は被験者のインピーダンス解析に用いられる処理システムを構成する方法を提供し、この方法は、
コンピュータシステムにおいて、
ａ）上記処理システムのために必要であり、少なくとも１つの機能を示す構成データを決定することと、
ｂ）上記構成データに応答して、
ｉ）複数のインピーダンス測定の実行と、
ｉｉ）複数のインピーダンス測定の解析とのうちの少なくとも１つを実施させる上記処理システムに上記構成データを受信させることとを含む。
【手続補正１７】
【補正対象書類名】明細書
【補正対象項目名】０１０５
【補正方法】変更
【補正の内容】
【０１０５】
第２１の広範な形態において、本発明は被験者のインピーダンス解析に用いられる処理システムを構成する装置を提供し、この方法はコンピュータシステムにおいて、
コンピュータシステムにおいて、
ａ）処理システムのために必要であり、少なくとも１つの機能を示す構成データを決定することと、
ｂ）上記構成データに応答して、
ｉ）複数のインピーダンス測定の実行と、
ｉｉ）複数のインピーダンス測定の解析とのうちの少なくとも１つを実施する上記処理システムに上記構成データを受信させることとを含む。
【手続補正１８】
【補正対象書類名】明細書
【補正対象項目名】０１１３
【補正方法】変更
【補正の内容】
【０１１３】
処理システム２、信号発生器１１及びセンサ１２は共通のハウジング内に統合され、一体化された装置を形成してよいことが了解されよう。代わりに、処理システム２は、有線又は無線で信号発生器１１及びセンサ１２に接続されてもよい。これにより処理システム２を信号発生器１１及びセンサ１２に対して遠隔的に配置することができる。このようにして処理システム２を被験者Ｓから遠くに配置する一方で、信号発生器１１及びセンサ１２を被験者Ｓの近傍に一体的に配置するか被験者Ｓに着用させてもよい。
【手続補正１９】
【補正対象書類名】明細書
【補正対象項目名】０２４５
【補正方法】変更
【補正の内容】
【０２４５】
ステップ１０４０において、測定装置１は、さらなるインピーダンス測定が必要か否かを決定し、必要な場合プロセスはステップ１０２０に戻り、オペレータは必要に応じリード線を異なる電極に接続することができる。このプロセスは、必要な解析を行うために十分なインピーダンス測定値が収集されるまで反復される。
【手続補正２０】
【補正対象書類名】明細書
【補正対象項目名】０２６５
【補正方法】変更
【補正の内容】
【０２６５】
これにより、第１の処理システム１０又は第２の処理システム１７は多重化装置を制御し、図１３に関して説明するように電極１３、１４、１５、１６を信号発生器１１又は信号センサ１２に接続することができる。
【手続補正２１】
【補正対象書類名】明細書
【補正対象項目名】０２７１
【補正方法】変更
【補正の内容】
【０２７１】
この例では、ステップ１５００において、バンド１４４０が被験者の胸腔に装着され、ステップ１５１０において、測定装置１が上記電極のうち２つの電極に電流信号を印加するように動作する。図１４Ａの例では、電流供給は電極１４４１Ａ、１４４１Ｄに印加され、電極１４４１Ａ、１４４１Ｄが電流供給電極１３、１４として作用するようになっている。
【手続補正２２】
【補正対象書類名】明細書
【補正対象項目名】０２７３
【補正方法】変更
【補正の内容】
【０２７３】
特に、図１４Ａに示す電極の並べ方の場合、被験者の胸腔に関して対称的なインピーダンス応答を仮定すると、電極１４４１Ｂ、１４４１Ｆ及び同様に電極１４４１Ｃ、１４４１Ｅにおいて発生する電位は同じであることが明白である。しかし、これによって１４４３、１４４２においてそれぞれ示すように、電極１４４１Ｃ、１４４１Ｆ間、及び電極１４４１Ｂ、１４４１Ｅ間で電位の比較が可能となる。
【手続補正２３】
【補正対象書類名】明細書
【補正対象項目名】０２７７
【補正方法】変更
【補正の内容】
【０２７７】
以上により、ステップ１５４０において、測定装置１は、すべての実施可能な電極の並べ方が用いられたか否かを決定し、そうでない場合、電流信号は異なる電極１４４１に印加され、ステップ１５２０及び１５３０において、対応する測定及び比較が実施される。
【手続補正２４】
【補正対象書類名】明細書
【補正対象項目名】０３１５
【補正方法】変更
【補正の内容】
【０３１５】
選択されたしきい値及びステップ１９２０において被験者Ｓに印加される初期電流は、典型的には、被験者の性質に依存して選択されることが了解されよう。従って例えば、被験者が人間の場合、被験者がマウス等の動物である場合よりも小さい電流を利用するのが一般的である。